(57)【要約】【課題】  両まぶたの開度を左右で異なる開度に変化させることが可能なアラームつき玩具を提供する。【解決手段】  図８（ａ）に示すように、溝６１がギヤ４７の外周寄りに設けられている位置では、凸部５９が溝６１に従って外周側に移動し、スライド部材２５、スライド部材２７も外周側に移動するため、まぶたが閉じられる。図８（ｂ）、図８（ｃ）、図８（ｄ）のように、溝６１がギヤ４７の内周寄りに設けられる位置に従い、凸部５９が溝６１に従って内周側に移動しスライド部材２５、スライド部材２７も内周側に移動するため、まぶた２１ａの開度が大きくなる。【選択図】  図８
2005312612.tif 000002
【特許請求の範囲】
【請求項１】
台座と、
回転可能であり、側面に溝を有するギヤと、
前記ギヤを駆動する駆動装置と、
前記ギヤの軸と係合され、一定方向の直線運動のみが可能であり、凸部を有し、前記凸部が前記ギヤの前記溝に係合する前記スライド機構と、
前記台座に対して揺動可能に設けられた可動部材と、
前記スライド機構の直線運動を前記可動部材の揺動運動に変換する変換機構と、
を具備することを特徴とするアラームつき玩具。
【請求項２】
前記可動部材は、玩具のまぶたであることを特徴とする請求項１記載のアラームつき玩具。
【請求項３】
前記スライド機構は、
長穴を有し、前記ギヤの軸に、前記長穴が係合された第１のスライド部材と、前記第１のスライド部材と固定され、前記可動部材の一部が係合された第２のスライド部材と、
からなり、
前記第１のスライド部材と、前記第２のスライド部材とが、一体として直線運動すると、前記可動部材が揺動することを特徴とする請求項１記載のアラームつき玩具。
【発明の詳細な説明】
【技術分野】
【０００１】
本発明は、アラームつき玩具に関するものである。
【背景技術】
【０００２】
従来、タイマを内蔵し、設定した時刻になると何らかの動作を行ったり、音声を発したりする玩具が存在する。また、人間や動物を模した玩具においては、まばたき等の動作を行うものが知られている（特許文献１）。
【０００３】
【特許文献１】実用新案登録第３０９５３２２号公報
【発明の開示】
【発明が解決しようとする課題】
【０００４】
しかしながら、このような玩具では、まばたきをさせる際、両まぶたの開度を左右で異なる開度に変化させることができないため、表情に乏しいという問題があった。
【０００５】
本発明は、このような問題に鑑みてなされたもので、その目的は両まぶたの開度を左右で異なる開度に変化させることが可能なアラームつき玩具を提供することにある。
【課題を解決するための手段】
【０００６】
前述した目的を達成するために、本発明は、台座と、回転可能であり、側面に溝を有するギヤと、前記ギヤを駆動する駆動装置と、前記ギヤの軸と係合され、一定方向の直線運動のみが可能であり、凸部を有し、凸部が前記ギヤの前記溝に係合する前記スライド機構と、前記台座に対して揺動可能に設けられた可動部材と、前記スライド機構の直線運動を前記可動部材の揺動運動に変換する変換機構と、を具備することを特徴とするアラームつき玩具である。
前記可動部材は、例えば玩具のまぶたである。
前記スライド機構は長穴を有し、前記ギヤの軸に、前記長穴が係合された第１のスライド機構と、からなり、前記第１のスライド部材と、前記第２のスライド部材とが、一体となって直線運動をすると、前記可動部材が揺動する。
【０００７】
本発明では、両まぶたを異なる開度に変化させることができるギヤを備えており、ギヤを回転させることにより、両まぶたを異なる開度で連続的に変化させることができる。
【発明の効果】
【０００８】
本発明によれば、両まぶたの開度を左右で異なる開度に変化させることが可能ため、アラームつき玩具の表情をより豊かにすることができる。
【発明を実施するための最良の形態】
【０００９】
以下、図面に基づいて本発明に好適な実施形態を詳細に説明する。図１は、本実施形態に係るアラームつき玩具１の全体図を示すものであって、図１（ａ）は正面図、図１（ｂ）は背面図、図１（ｃ）は底面図である。
【００１０】
図１（ａ）に示すように、アラームつき玩具１は半球状のカバー３で覆われており、１対の眼５ａ、５ｂを有している。図１（ｂ）に示すように、カバー３の背面の１箇所には音声を外部に伝えるための穴７が設けられている。
また、図１（ｃ）に示すように、底面には台座９が設けられており、台座９にはアラーム１の全体を支えるゴム製の足１１ａ、１１ｂ、１１ｃ、１１ｄが設けられている。
【００１１】
また時刻及びアラーム時刻を表示する表示部１３、時刻及びアラーム時刻の設定に用いる、設定スイッチ１５ａ、１５ｂ、１５ｃ、１５ｄ、アラームのＯＮ、ＯＦＦに用いるメインスイッチ１７、電池を収める電池ボックス１９ａ、１９ｂ等が台座９には設けられている。
【００１２】
表示部１３は、現在時刻、アラーム時刻及び、アラームがセットされたかどうかを表示する装置で、液晶等が用いられる。
設定スイッチ１５ａ、１５ｂ、１５ｃ、１５ｄは時刻の設定、アラーム時刻の設定に用いられ、ボタン状のスイッチである。
メインスイッチ１７はアラームのＯＮ、ＯＦＦに用いられ、ボタン状のスイッチである。
【００１３】
図２は、アラームつき玩具１のカバー３を外した状態を示す図である。図３（ａ）はまぶた２１ａを示す斜視図、図３（ｂ）は図３（ａ）のまぶた２１ａの背面側からの斜視図である。図４はまぶた２１ａと台座９およびスライド支持部２３ａとの接続を示す詳細図、図５（ａ）は、図４からまぶた２１ａを取り外した図、図５（ｂ）は図５（ａ）からスライド部材２５を取り外した図、図５（ｃ）は図５（ｂ）からスライド支持部２３ａを取り外した図、図６はスライド部材２５とスライド部材２７の関係を表す図である。
【００１４】
図２に示すように、台座９には１対の眼５ａ、５ｂが設けられており、眼５ａ、５ｂを覆うようにして１対のまぶた２１ａ、２１ｂが設けられている。
図３（ａ）に示すように、まぶた２１ａは薄肉の球をほぼ８分割した形状をしており、突出部３１を有している。
【００１５】
まぶた２１ａの端部には支点２９が設けられており、突出部３１上には支点３３、スライド支点３９が設けられている。
図５（ａ）に示すように台座９には支点支持部３５、スライド支持部２３ａ、２３ｂが設けられている。スライド支持部２３ａには支点支持部３７が設けられている。図４に示すようにまぶた２１ａの支点２９は支点支持部３５に回転可能に係合され、支点３３は支点支持部３７に回転可能に係合される。従ってまぶた２１ａは支点支持部３５、支点支持部３７を支点にして、図４に示すようにＲ１方向及びＲ２方向に揺動する。
【００１６】
前述したように（図３（ｂ））、まぶた２１ａの突出部３１上にはスライド支点３９が設けられており、スライド支点３９は図５（ａ）に示すスライド部材２５の穴４１に係合される。
【００１７】
図６に示すように、スライド部材２７はスライド支持部２３ａをはさんでスライド部材２５と一体になっているが、スライド支持部２３ａには穴４３ａ、穴４３ｂが設けられており、スライド部材２７の突起状の凸部４５ａは穴４３ａに、突起状の凸部４５ｂは穴４３ｂに挿入されており、凸部４５ａ、４５ｂがスライド部材２５に固定される。また、凸部４５ａ、４５ｂの移動が穴４３ａ、穴４３ｂに拘束されるため、スライド部材２５及びスライド部材２７は水平方向にのみ移動可能になっている。図５（ｂ）、図５（ｃ）に示すように、ギヤ４７はスライド支持部２３ａ、２３ｂに軸４９によって軸支される。この軸４９はスライド部材２７の長穴５１に係合される。
【００１８】
図７はギヤ４７の詳細を表す図であり、図７（ａ）は正面図、図７（ｂ）は図７（ａ）のＡ方向矢視図、図７（ｃ）は図７（ａ）のＢ方向矢視図、図７（ｄ）は図７（ｂ）にスライド部材２７を装着した図である。なお、スライド部材２７については、凸部４５ａ、４５ｂの表記を省略してある。
【００１９】
図７（ａ）に示すように、ギヤ４７外周には歯５３が設けられている。
図７（ｂ）および図７（ｃ）に示すように、外周端部には後述するポジションスイッチ５５ａを作動させるための突起５７ｇ、ポジションスイッチ５５ｂを起動させるための突起５７ａ、突起５７ｂ、突起５７ｃ、突起５７ｄ、突起５７ｅ、突起５７ｆが設けられている。
【００２０】
図７（ｂ）および図７（ｃ）に示すように、ギヤ４７の側面には溝６１が設けられている。図７（ｄ）に示すように、スライド部材２７の裏面には突起状の凸部５９が設けられ、この凸部５９は溝６１に挿入されており、凸部５９の移動は溝６１に拘束される。ギヤ４７の軸４９はスライド部材２７に設けられた長穴５１の中に設けられており、スライド部材２７の移動は軸４９によっても拘束される。また、すでに述べたように、スライド部材２７は水平方向にのみ移動可能となっている。
【００２１】
ギヤ４７を回転させると、溝６１の形状に従ってスライド部材２７の凸部５９が水平方向に移動し、これに伴いスライド部材２７とスライド部材２５が一体となって水平方向に移動する。
また、図７（ｂ）および図７（ｃ）に示すように、溝６１のパターンがギヤ４７の左右で異なる場合、ギヤ４７が回転した際のスライド部材２７の位置が左右で異なるため、両まぶたの開度を左右で異なる開度にすることが可能である。
【００２２】
次に、ギヤ４７の溝６１の形状と、まぶた２１ａの開度の関係について説明する。図８はギヤ４７の溝６１とまぶた２１ａの開度の関係を示す図である。図８（ａ）はまぶた２１ａが閉じた状態、図８（ｂ）はまぶた２１ａが若干開いた状態、図８（ｃ）はまぶた２１ａが半分ほど開いた状態、図８（ｄ）はまぶた２１ａが完全に開いた状態を示す。
【００２３】
図８において、上段はまぶた２１ａの側面図であり、まぶた２１ａとスライド部材２５の関係を示す。
図８の中段は図７（ｄ）に対応し、ギヤ４７と凸部５９の関係を示す。
図８の下段はまぶた２１ａと眼５ａの正面図である。
【００２４】
図８（ａ）に示すように、溝６１の凸部５９が挿入された部分がギヤ４７の外周寄りである場合は、凸部５９が溝６１に従って外周側に移動し、スライド部材２５、スライド部材２７も一体となって外周側に移動する。さらに、スライド部材２５の穴４１に係合された凸部３９も外周側に移動する。一方、凸部３９はまぶた２１ａの突出部３１に設けられており、まぶた２１ａは突出部３１に設けられた凸部３３を支点に揺動するため、この状態ではまぶたがスライド部材２５に引かれてＲ２方向に揺動して閉じられる。（以後、このときの溝６１の凸部５９が挿入された部分の位置を「外周寄り」と呼ぶ）
【００２５】
図８（ｂ）に示すように、溝６１の凸部５９が挿入された部分が図８（ａ）よりもギヤ４７の内周寄りであると、凸部５９が溝に従ってＣ方向に移動し、スライド部材２５もＣ方向に移動すると、まぶた２１ａのスライド支点３９がスライド部材２５の穴４１に係合しているため、まぶた２１ａは支点３３を中心として、Ｒ１方向に回転し、まぶた２１ａが若干開く。（以後、このときの溝６１の凸部５９が挿入された部分の位置を「やや外周寄り」と呼ぶ）
【００２６】
図８（ｃ）に示すように、溝６１の凸部５９が挿入された部分が図８（ｂ）よりもさらにギヤ４７の内周寄りであると、凸部５９が溝に従って内周側に移動しスライド部材２５、スライド部材２７も内周側に移動するため、まぶた２１ａが半分ほど開く。（以後、このときの溝６１の凸部５９が挿入された部分の位置を「やや内周寄り」と呼ぶ）
【００２７】
図８（ｄ）に示すように、溝６１の凸部５９が挿入された部分が図８（ｃ）よりもさらにギヤ４７の内周寄りであると、凸部５９が溝６１に従って内周側に移動しスライド部材２５、スライド部材２７も内周側に移動するため、まぶた２１ａが完全に開く。（以後、このときの溝６１の凸部５９が挿入された部分の位置を「内周寄り」と呼ぶ）
このように、溝６１の凸部５９が挿入された部分が内周側に移動するにしたがってまぶたが開いていき、逆に外周側に移動するにしたがってまぶたが閉じていく。
【００２８】
図９はギヤ４７を示す図であって、図９（ａ）は正面図、図９（ｂ）は図９（ａ）のＡ方向矢視図、図９（ｃ）は図９（ａ）のＢ方向矢視図である。
【００２９】
図９（ｂ）、図９（ｃ）に示すギヤ４７にはＡポイント１０１、Ｂポイント１０３、Ｃポイント１０５、Ｄポイント１０７、Ｅポイント１０９、Ｆポイント１１１の６つのポイントが示されており、Ａポイント１０１が水平位置１１３にあるときは、左右両側の溝６１の凸部５９が挿入された部分が「外周寄り」であるため、両まぶたが閉じている。
【００３０】
Ｂポイント１０３が水平位置１１３にあるときは、左右両側の溝６１の凸部５９が挿入された部分が「内周寄り」であるため、両まぶたが開いている。
Ｃポイント１０５が水平位置１１３にあるときは、左側の溝６１の凸部５９が挿入された部分が「やや内周寄り」であり、右側の溝６１の凸部５９が挿入された部分が「外周寄り」であるため、左まぶたが半開きで右まぶたが閉じている。
【００３１】
また、Ｄポイント１０７が水平位置にあるときは、左側の溝６１の凸部５９が挿入された部分が「外周寄り」であり、右側の溝の凸部５９が挿入された部分が「やや内周寄り」であるため、左まぶたが閉じて、右まぶたが半開きである。
【００３２】
Ｅポイント１０９が水平位置にあるときは、左側の溝６１の凸部５９が挿入された部分が「やや外周寄り」であり、右側の溝６１の凸部５９が挿入された部分が「外周寄り」であるため、左まぶたが微かに開いて、右まぶたが閉じている。
【００３３】
Ｆポイント１１１が水平位置にあるときは、左側の溝６１の凸部５９が挿入された部分が「外周寄り」であり、右側の溝６１の凸部５９が挿入された部分が「やや外周寄り」であるため、左まぶたが閉じており、右まぶたが微かに開いている。
【００３４】
尚、溝６１の形状を変更することにより、まぶた２１ａ、１９ｂの開度を左右で自由に変えることができる。
【００３５】
図１０および図１１は、本実施形態に係るアラームつき玩具１のカバー３を外した状態を示すものであって、図１０（ａ）は正面図、図１０（ｂ）は背面図、図１１（ａ）、図１１（ｂ）は右側面図、図１１（ｃ）は左側面図である。
【００３６】
図１０（ｂ）及び図１１（ａ）に示すように、台座９にはモータ等の駆動装置６３が設けられており、駆動装置６３で発生した動力は、駆動装置６３に直結された小プーリ６５からベルト６７を介して大プーリ６９に伝えられ、大プーリ６９に直結された図示しないギヤから小ギヤ７１に伝えられ、小ギヤ７１からギヤ４７に伝えられる。
また、図１０（ａ）に示すように、台座９には、ポジションスイッチ５５ａ、ポジションスイッチ５５ｂ、ＣＰＵ基板７３が設けられており、また、図１０（ｂ）、図１１（ｃ）に示すように台座９には、振動センサ７５が設けられており、また、図１０（ｂ）、図１１（ｂ）に示すように台座９には、音声発生部７７等が設けられている。
【００３７】
ポジションスイッチ５５ａ、５５ｂはギヤ４７の回転角度を後述する制御部７９に伝えるためのスイッチで、ポジションスイッチ５５ａは図７（ｂ）に示すギヤ４７の突起５７ｇに押圧されることによって作動し、ポジションスイッチ５５ｂは図７（ｃ）に示す突起５７ａ、突起５７ｂ、突起５７ｃ、突起５７ｄ、突起５７ｅ、突起５７ｆに押圧されることにより作動する。
【００３８】
また、突起５７ａ、突起５７ｂ、突起５７ｃ、突起５７ｄ、突起５７ｅ、突起５７ｆはそれぞれ図９に示すＡポイント１０１、Ｂポイント１０３、Ｃポイント１０５、Ｄポイント１０７、Ｅポイント１０９、Ｆポイント１１１に対応している。ただし、ポジションスイッチ５５ｂは個々の突起を区別することができないため、突起５７ｇがポジションスイッチ５５ａを押圧すると、それ以降にポジションスイッチ５５ｂを押圧した突起を順にＡポイント１０１、Ｂポイント１０３、Ｃポイント１０５‥と認識する。
【００３９】
振動センサ７５はアラームが作動した際の動作を切り替えるスイッチとして用いられるセンサで、カバー３をたたくなどして振動を与えることによりセンサが作動する。
音声発生部７７は音声、アラームを発する部であってスピーカ等が用いられる。
駆動装置６３はギヤ４７を動かすための装置であって、直流型電動回転モータ等が用いられる。
【００４０】
図１２はアラームつき玩具１の回路図である。
アラーム１は制御部７９、ポジションスイッチ５５ａ、５５ｂ、振動センサ７５、音声発生部７７、設定スイッチ１５ａ、１５ｂ、１５ｃ、１５ｄ、メインスイッチ１７、表示部１３、駆動装置６３等からなる。
【００４１】
制御部７９は、ＣＰＵ基板７３上に設けられており、判断、指令を行うＣＰＵ８１（Central Processing Unit）、まぶたの開度のパターンが記憶された開度データ、アラーム時の音声等が記憶された音声データおよびアラームを作動させるためのプログラム等が記憶されたＲＯＭ（Read Only Memory）８３、設定時刻およびアラーム設定時刻を記憶するＲＡＭ（Random Access memory）８５、時刻をカウントするタイマ８７からなる。
【００４２】
次に本実施形態におけるアラーム時の動作の１例について図９および図１０を参照に説明する。図１３および図１４はアラーム時のギヤ４７の動きの１例を示すフローチャートである。また図１５はアラーム時の音声のフローチャートである。
【００４３】
図１３に示すように、アラームをセットすると、ＣＰＵ８１は駆動装置６３に指示し、Ａポイント１０１が水平位置にくるようにギヤ４７を回転させて、両目を閉じる（ステップ２０１、２０２）。
ＣＰＵ８１はアラーム時刻になったかどうかを判断し（ステップ２０３）、アラーム時刻になると、ＣＰＵ８１は音声発生部７７にアラームを鳴らすように指示する（ステップ２０４）。
【００４４】
以下ＣＰＵ８１はステップ２０５〜ステップ２１９まで振動センサが作動したかどうかを確認し、振動センサが作動した場合はステップ２２０に進む。あるいは、ステップ２０５〜ステップ２１９が３回繰り返された場合もステップ２２０に進む（第１ループ、ステップ２０５、ステップ２１９）。
【００４５】
以下ＣＰＵ８１はステップ２０６〜ステップ２１７までが３回繰り返されたかどうかを確認し、３回繰り返された場合はステップ２１８に進む（第２ループ、ステップ２０６、ステップ２１７）。
ＣＰＵ８１は駆動装置６３に指示し、Ｂポイント１０３が水平位置にくるようにギヤ４７を回転させる（ステップ２０７）。
【００４６】
ＣＰＵ８１は駆動装置６３に指示し、Ｃポイント１０５が水平位置にくるようにギヤ４７を回転させる（ステップ２０８）。
【００４７】
ＣＰＵ８１はステップ２０８の状態で駆動装置６３を０．５秒停止する（ステップ２０９）。これは後述する音声の発生する時間とまぶたの動きの時間とのずれを調整するためである。
ＣＰＵ８１は駆動装置６３に指示し、Ｄポイント１０７が水平位置にくるようにギヤ４７を回転させる（ステップ２１０）
【００４８】
ＣＰＵ８１は駆動装置６３に指示し、Ｅポイント１０９が水平位置にくるようにギヤ４７を回転させる（ステップ２１１）
ＣＰＵ８１は駆動装置６３に指示し、Ｆポイント１１１が水平位置にくるようにギヤ４７を回転させる（ステップ２１２）
【００４９】
ＣＰＵ８１は駆動装置６３に指示し、Ａポイント１０１が水平位置にくるようにギヤ４７を回転させて、両目を閉じる（ステップ２１３）
ＣＰＵ８１は駆動装置６３に指示し、Ｂポイント１０３が水平位置にくるようにギヤ４７を回転させる（ステップ２１４）。
ＣＰＵ８１は第１ループが３ループ目であるかどうかを確認し、３ループ目である場合にはステップ２１７に進む。そうでない場合は、ステップ２１６に進む。（ステップ２１５）
【００５０】
ＣＰＵ８１は駆動装置６３に指示し、Ａポイント１０１が水平位置にくるようにギヤ４７を回転させて、両目を閉じる（ステップ２１６）
ＣＰＵ８１は駆動装置６３を５分間停止する（ステップ２１８）。
【００５１】
第１ループを抜けた場合、図１４に示すように、ＣＰＵは第１ループを抜けた原因が振動を与えたことによるものかどうかを判断し、そうである場合はステップ２２１に進む。そうでない場合はステップ２２３に進む（ステップ２２０）
ＣＰＵは駆動装置６３に指示し、Ｂポイント１０３が水平位置にくるようにギヤ４７を回転させる（ステップ２２１）
ＣＰＵ８１は駆動装置６３を５分停止し、その後ステップ２２３に進む（ステップ２２２）。
【００５２】
以下ＣＰＵ８１はステップ２２３〜ステップ２３０まで振動センサが作動したかどうかを確認し、振動センサが作動した場合はステップ２３１に進む。あるいは、ステップ２２３〜ステップ２３０が３回繰り返された場合もステップ２３１に進む（第３ループ、ステップ２２３、ステップ２３０）。
以下ＣＰＵ８１はステップ２２４〜ステップ２２８までが３回繰り返されたかどうかを確認し、３回繰り返された場合はステップ２２９に進む（第４ループ、ステップ２２４、ステップ２２８）。
【００５３】
ＣＰＵ８１は駆動装置６３に指示し、Ｂポイント１０３が水平位置にくるようにギヤ４７を回転させる（ステップ２２５）。
ＣＰＵ８１は駆動装置６３に指示し、Ａポイント１０１が水平位置にくるようにギヤ４７を回転させて、両目を閉じる（ステップ２２６）
ＣＰＵ８１は駆動装置６３に指示し、Ｂポイント１０３が水平位置にくるようにギヤ４７を回転させる（ステップ２２７）。
ＣＰＵ８１は駆動装置６３を１分停止する（ステップ２２９）。
【００５４】
第３ループを抜けた場合、ＣＰＵはループを抜けた原因が３回ループを繰り返したことによるものかどうかを判断し、そうである場合はアラームを終了する。そうでない場合はステップ２３２に進む（ステップ２３１）
第３ループを抜けた原因が３回ループを繰り返したことによるものではない場合（振動を与えた場合）はＣＰＵ８１は駆動装置６３に指示し、Ｂポイント１０３が水平位置にくるようにギヤ４７を回転させる（ステップ２３２）。
ＣＰＵ８１は駆動装置６３を５分停止し、その後ステップ２２３に進む（ステップ２３３）。
【００５５】
次に、アラーム時の音声について説明する。図１５に示すように、アラームセットした後（ステップ３０１）、ＣＰＵ８１はアラーム時刻になったかどうかを判断し、アラーム時刻になると次のステップに進む。（ステップ３０２）
以下ＣＰＵ８１はステップ３０３〜ステップ３０９まで振動センサ７５が作動したかどうかを確認し、振動センサ７５が作動した場合はステップ３１０に進む。あるいは、ステップ３０３〜ステップ３０９が３回繰り返された場合もステップ３１０に進む（第５ループ、ステップ３０３、３０９）。
以下ＣＰＵ８１はステップ３０４〜ステップ３０７までが３回繰り返されたかどうかを確認し、３回繰り返された場合はステップ３０８に進む（第６ループ、ステップ３０４、３０７）。
【００５６】
ＣＰＵ８１は音声発生部７７にアラームを鳴らすように指示する（ステップ３０５）。このアラームは音声ではなく、ビープ音である。
ＣＰＵ８１は音声発生部７７に第５ループ１回目では第１の音声を、第５ループ２回目では第２の音声を、第５ループ３回目では第３の音声を鳴らすように指示する（ステップ３０６）。
【００５７】
第１の音声は例えば「Wow, I’m
still sleepy. Is it time to wake up」であり、日本語でいえば「ああ、まだ眠いよ。もう時間？」等の意味になる。
第２の音声は例えば「Mmm, I
know,I know. Let me sleep a little bit more」であり、日本語でいえば「うーん、わかったわかった。もうちょっと寝せてよ？」等の意味になる。
第３の音声は例えば「OK.
I’ll get up. I feel good.」であり、日本語でいえば「オーケー。起きるよ。いい気分だよ。」等の意味になる。
【００５８】
ＣＰＵ８１は５分間動作を停止する（ステップ３０８）。
ＣＰＵ８１は振動センサ７５が作動したことにより、第５ループが終了したかどうかを確認し、その場合はステップ３１１に進む。そうでない場合はステップ３１３に進む（ステップ３１０）
振動センサ７５が作動したことにより、第５ループが終了した場合、ＣＰＵ８１は音声発生部７７に第４の音声を鳴らすように指示する（ステップ３１１）。
第４の音声は例えば「Good
morning. Have a nice day!」であり、日本語でいえば「おはよう。今日もいい日を！」等の意味になる。
ＣＰＵ８１は５分間動作を停止し、その後ステップ３１３に進む（ステップ３１２）。
【００５９】
以下ＣＰＵ８１はステップ３１３〜ステップ３１９まで振動センサ７５が作動したかどうかを確認し、振動センサ７５が作動した場合はステップ３２０に進む。あるいは、ステップ３１３〜ステップ３１９が３回繰り返された場合もステップ３１０に進む。（第７ループ、ステップ３１３、ステップ３１９）
以下ＣＰＵ８１はステップ３１４〜ステップ３１７まで３回繰り返されたかどうかを確認し、３回繰り返された場合はステップ３１８に進む。
（第８ループ、ステップ３１４、ステップ３１７）
【００６０】
ＣＰＵ８１は音声発生部７７にアラームを鳴らすように指示する（ステップ３１５）。このアラームは音声ではなく、ビープ音である。
ＣＰＵ８１は音声発生部７７に第５の音声を鳴らすように指示する（ステップ３１６）。
第５の音声は例えば「Let’s
play together!」であり、日本語でいえば「一緒に遊ぼう！」等の意味になる。
ＣＰＵ８１は１分間動作を停止する（ステップ３１８）
【００６１】
第７ループを抜けた場合、ＣＰＵは第７ループを抜けた原因が３回ループを繰り返したことによるものかどうかを判断し、そうである場合はアラームを終了する。そうでない場合はステップ３２１に進む（ステップ３２０）
第７ループを抜けた原因が３回ループを繰り返したことによるものではない場合（振動を与えた場合）はＣＰＵ８１は音声発生部７７に第４の音声を鳴らすように指示する（ステップ３２１）。
ＣＰＵ８１は駆動装置６３を５分停止し、その後ステップ３１３に進む（ステップ３２２）。
【００６２】
なお、図１３、図１４、図１５に示すフローチャートのいずれのステップおいても、メインスイッチ１７が押された場合、ＣＰＵ８１は駆動装置６３に指示し、Ｂポイント１０３が水平位置にくるようにギヤ４７を回転させ、アラームは終了となる。
【００６３】
このように、アラーム動作時には左右のまぶたを異なる開度で開閉しつつ、「まだ眠いよ」「もうちょっと寝せてよ」などの音声を発し、また、その際、カバー３を叩くなどして振動センサ７５を作動させると、両まぶたを開いて「おはよう」「一緒に遊ぼう」などの音声を発するといった、あたかも人間が起きるときのような動作を繰り返す。従って、アラームつき玩具１の表情をより豊かにすることができる。
【００６４】
次に、アラーム非設定時に振動センサ７５が反応したときの動作について説明する。
図１５、図１６はアラーム非設定時に振動センサ７５が反応したときの動作フローチャートであって、図１１はギヤの動きを示すフローチャート、図１２は音声のフローチャートである。
【００６５】
最初にギヤ４７の動きに関して説明する。
振動センサ７５が反応すると、ＣＰＵ８１は駆動装置６３に指示し、Ａポイント１０１が水平位置にくるようにギヤを回転させる（ステップ４０１）
ＣＰＵ８１は駆動装置６３に指示し、Ｂポイント１０３が水平位置にくるようにギヤを回転させる（ステップ４０２）
【００６６】
次に音声に関して説明する。
振動センサ７５が反応すると、ＣＰＵ８１は音声発生部７７に第７、９、１１、１３、１５、１７、１９の音声からランダムに選択した１種類を鳴らすように指示する（ステップ５０１）。
第７、９、１１、１３、１５、１７、１９の音声はそれぞれ、英語、フランス語、ドイツ語、イタリア語、スペイン語、中国語、日本語で「こんにちは」を意味する音声である。
【００６７】
このように、本実施の形態によれば、アラーム非設定時にカバー３を叩くなどして振動センサ７５を作動させると、まぶた２１ａ、２１ｂを開閉しつつ、７ヶ国語からランダムに選択した挨拶の音声を発する。
従って、アラームつき玩具１の表情をより豊かにすることができる。
【００６８】
以上、添付図面を参照しながら、本発明の実施形態を説明したが、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００６９】
例えば、本実施形態ではギヤ４７を用いた動作の対象をまぶたにしているが、玩具等の手、足等を動かしてもよい。
【図面の簡単な説明】
【００７０】
【図１】本アラームつき玩具１の外観を示す図。
【図２】アラームつき玩具１の内部を示す図。
【図３】アラームつき玩具１のギヤ４７とまぶた２１ａの接続状態を示す図。
【図４】アラームつき玩具１のギヤ４７とまぶた２１ａの接続状態を示す図。
【図５】アラームつき玩具１の内部を示す図。
【図６】アラームつき玩具１のスライド支持部２３ａとスライド部材２５、スライド部材２７の接続を示す図
【図７】ギヤ４７を示す図
【図８】ギヤ４７の位相とまぶた２１ａの開度の関係を示す図
【図９】ギヤ４７の位相とまぶた２１ａの開度の関係を示す図
【図１０】アラームつき玩具１の内部を示す図
【図１１】アラームつき玩具１の内部を示す図
【図１２】回路図
【図１３】アラーム時のギヤ４７の動きを示すフローチャート
【図１４】アラーム時のギヤ４７の動きを示すフローチャート
【図１５】アラーム時の音声を示すフローチャート
【図１６】アラーム非設定時のギヤ４７の動きを示すフローチャート
【図１７】アラーム非設定時の音声を示すフローチャート
【符号の説明】
【００７１】
１…………アラームつき玩具
３…………カバー
５ａ………眼
５ｂ………眼
９…………台座
１３………時刻表示部
１７………メインスイッチ
２１ａ……まぶた
２１ｂ……まぶた
２３ａ……スライド支持部
２３ｂ……スライド支持部
２５………スライド部材
２７………スライド部材
２９………支点
３１………部材
３３………凸部
３５………支点支持部
３７………支点支持部
３９………スライド支点
４１………穴
４７………ギヤ
４９………軸
５１………長穴
５５ａ……ポジションスイッチ
５５ｂ……ポジションスイッチ
５９………凸部
６１………溝
７５………振動センサ
７７………音声発生部
７９………制御部
８１………ＣＰＵ
８３………ＲＯＭ
８５………ＲＡＭ
８７………タイマ
【図１】
2005312612.tif 000003
【図２】
2005312612.tif 000004
【図３】
2005312612.tif 000005
【図４】
2005312612.tif 000006
【図５】
2005312612.tif 000007
【図６】
2005312612.tif 000008
【図７】
2005312612.tif 000009
【図８】
2005312612.tif 000010
【図９】
2005312612.tif 000011
【図１０】
2005312612.tif 000012
【図１１】
2005312612.tif 000013
【図１２】
2005312612.tif 000014
【図１３】
2005312612.tif 000015
【図１４】
2005312612.tif 000016
【図１５】
2005312612.tif 000017
【図１６】
2005312612.tif 000018
【図１７】
2005312612.tif 000019